(57)【要約】      （修正有）【課題】物品載置に便利であるとともに宣伝表示も可能な男性用小便器用蓋体を提供する。【解決手段】受尿空隙を有する男性用小便器の上部に載置する蓋体において、蓋体前面に斜方直立部２を設けたことを特徴とする。これにより、この斜方直立部と壁面との間に所持物品６を載置することができ、物品は斜方直立部によって落下が阻止される。また、用足し中においてもこの載置物品は人体に近いので視覚認識されて、取り忘れが防止される。【選択図】図１２
0003193387.tif 000002
【実用新案登録請求の範囲】
【請求項１】
受尿空隙を有する男性用小便器の上部に載置する蓋体において、該蓋体前面に斜方直立部を設けたことを特徴とする物品載置機能を有する小便器用蓋体。
【請求項２】
斜方直立部を側面視鋭角としてなる請求項１記載の物品載置機能を有する小便器用蓋体。
【請求項３】
斜方直立部外面に宣伝表示を設けてなる請求項１または２記載の物品載置機能を有する小便器用蓋体。
【請求項４】
蓋体の非直立部上面に物品載置用凹部を形成してなる請求項１〜３のいずれかの項に記載の物品載置機能を有する小便器用蓋体。
【考案の詳細な説明】
【技術分野】
【０００１】  この考案は、その上部に物品載置機能を有する小便器用の蓋体に関する。
【背景技術】
【０００２】  従来より、店舗や公共施設等において、男性用の小便器が多用されているが、その上部に物品載置機能を有する小便器用の蓋体は見当たらない。
【考案の概要】
【考案が解決しようとする課題】
【０００３】  前記のように、不特定多数の人が利用する男性用トイレには、複数個の小便器が設置されている。この小便器は図にて示すように、前面に受尿空隙を有する縦長の小便器本体がトイレ内床面に設置されているものである。図で示すのは比較的新しいタイプのもので、小便器本体上部に空隙を有し、この空隙内に各種センサーおよび放水配管が収納され、便器本体前面には人体センサーが設けられている。小便器使用者が用を足すときは、この小便器前に人が立つので、これをセンサーが感知し、使用後に人が小便器から離れると、自動的に放水がなされて便器洗浄がされる。【０００４】  このように、小便器に上方空隙を有するので、この空隙をふさぐ蓋体が存在する。
この蓋体は平面視略四角形であって、小便器本体上面の前方側に位置する突起部とはまり合って斜方平面を形成している。平面視において、この突起部は緩やかな曲線状であり、かつ蓋体も同様の曲線状側面を有し、これら双方の曲面が接して位置し、この蓋体が小便器本体より離脱落下しないよう形成されている。
この小便器はトイレ内壁面に沿って位置するが、この便器上方の壁面に奥行き方向に一段下がった段部を有する構造もよく見受けられる。【０００５】  外出先にてトイレで用を足すとき、カバンや紙袋その他の所持品の置く場所に困り、上記の段部上に一時的に載せることも多い。トイレ床面は不衛生であり、手洗い所に置けば盗難その他の心配があるためである。しかし、この段部は奥行きが狭いので、手前に倒れないように注意して置かねばならない。また、用足し中は下方注視の場合が多く、ときにはこの載置した物品を置き忘れる場合もある。そもそも、この段部が設けられていないトイレもあり、これら所持物品を安心かつ衛生的に置ける手段が望まれている。
本案は以上に鑑み、小便器の上部蓋体構造を新規構造とすることにて、安心かつ衛生的に所持物品を載置することができるとともに、その取り忘れ防止にも有効なる新規かつ有用なる小便器蓋体構造を提供することを目的として発案されたものである。
【課題を解決するための手段】
【０００６】  課題を解決する手段として本案は以下の構成とした。
すなわち、受尿空隙を有する男性用小便器の上部に載置する蓋体において、該蓋体前面に斜方直立部を設ける。本案は以上の構成よりなる物品載置機能を有する小便器用蓋体である。
【考案の効果】
【０００７】  本案は下記の効果を有する。
１．直立部を前方に有する蓋体としたので、この直立部と壁面との間に載置した所持物品  の落下を防止して、安心して物品を置くことができる。
２．直立部外面に宣伝表示をすることにて、従来にない新規な宣伝媒体として利用する事  ができる。
３．便器使用人体に近接して載置物品が位置するので、この物品の置き忘れを防止する事  ができる。
【図面の簡単な説明】
【０００８】
【図１】  従来例の便器平面図
【図２】  従来例の便器正面図
【図３】  従来例の便器右側面図
【図４】  本考案の拡大平面図
【図５】  本考案の拡大正面図
【図６】  本考案の拡大底面図
【図７】  本考案の拡大右側面図
【図８】  本考案の他例の拡大右側面図
【図９】  本考案の他例の拡大右側面図
【図１０】  本考案の装着状態平面図
【図１１】  本考案の装着状態正面図
【図１２】  本考案の装着状態右側面図（物品載置状態）
【考案を実施するための最良の形態】
【０００９】  以下、本考案の実施形態について説明する。
図において、１は陶器製の便器蓋本体である。この便器蓋本体は平面視において略長方形状の板状体であって水平上平面を有し、その前面には斜方に直立した斜方直立部２が一体に形成される。この斜方直立部は側面視において直角に近い鋭角に形成される。３は下面空隙部で、便器蓋本体の下面に所定深さにて一体形成される。この便器蓋本体の下方前面には平面視において緩やかな湾曲面４が形成される。以上が、本案の一実施形態である。
この便器蓋本体は、従来便器の蓋を取り去って、代わりに設置されるものである。
この設置状態を図１０〜図１２にて示す。【００１０】  便器本体の上部には、湾曲面を有する突出部が一体に形成されており、この湾曲面と本案蓋本体の湾曲面が接して位置し、小便器本体からの蓋体の離脱は阻止される。また、小便器上方に前記の斜方直立部が直立して位置する。
従って、図１２にて示すように、この斜方直立部と壁面との間に所持物品を載置することができ、該物品は斜方直立部によって落下が阻止される。また、用足し中においてもこの載置物品は人体に近いので視覚認識されて、取り忘れが防止される。【００１１】  図８〜図９は本案の他例を示すものである。図８は直立部内面を直立平面とし、外面に斜面を形成した例である。図９は、単なる平行直立面を有する直立部とした例であり、他の箇所はいずれも初例と同様である。なお、図７と図８は斜方平面を有するので、小便器使用者がこの斜面を認識しやすい利点がある。また、図４と図７の仮想線にて示すように、小便器蓋本体の上面に、小物載置用凹部５を設けておけば、所持小物の一時的載置に便利である。【００１２】  なお、本案の他の特徴として、宣伝表示媒体としての利用がある。既述の斜方直立部はその機能上、所定面積を有しつつ人体に近接して位置する。従って、この斜方直立部外面に宣伝表示が可能であり、従来にない新規な宣伝媒体として利用することができる。
宣伝表示は、新聞広告、雑誌広告、インターネット広告、メール広告など種々に利用されている。以前から多用されているものとしては、新聞の折り込みチラシ、電話帳広告、ダイレクトメール、フリーペーパー、店舗内広告、ポスティングチラシなどがある。
屋外広告としては、看板、電柱広告、ネオンサイン、大型映像ビジョン、地下鉄等電車内広告などがある。最近では階段ステップ下広告、エレベーター内広告等がある。【００１３】  これら各種広告は、１８世紀に印刷技術が発達してから盛んになったといわれる。
一方、公衆トイレは日本では明治初期から普及が始まり、現在に至っている。
人が所定エリア・位置での拘束を受ける場所としては、トイレ、エレベーター内、電車内など限られているが、これらのうち、広告が普及していないのは公衆トイレである。
そもそもトイレは非衛生との概念が昔からあったが、近年ではこれらは払拭されて清潔で衛生的になってきた。【００１４】  小便器利用時は、使用者の体位置は限定され、目の前には壁面があるのみである。
従って、放尿の様子を見るために視線は下向きとなりがちである。このときに本案の宣伝表示が有効となる。すなわち、斜方直立部外面に、印刷やステッカー貼付等の手段にて宣伝表示をしておけば、放尿中、この表示を見ることとなって、大なる宣伝効果を得ることができるのである。当然、宣伝表示に関わる企業からの宣伝料を得ることが可能となって、トイレ内清掃その他の費用に充てることができる。また、近年柔構造のシート状ディスプレイも開発されつつあり、将来的には電光表示によるトイレ内広告の可能性が見込まれる。以上記したように、本案は所持物品の安定載置と宣伝表示効果の二つの効果を有する新規かつ有用なる物品を提供するものである。
【符号の説明】
【００１５】  １  便器蓋本体
２  斜方直立部
２ａ  直立部
２ｂ  直立部
３  下面空隙部
４  湾曲面
５  小物載置用凹部
６  載置物品
７  宣伝表示
１０  小便器本体
１１  人体センサー
１２  小便器蓋
１３  壁面段部
【図１】
0003193387.tif 000003
【図２】
0003193387.tif 000004
【図３】
0003193387.tif 000005
【図４】
0003193387.tif 000006
【図５】
0003193387.tif 000007
【図６】
0003193387.tif 000008
【図７】
0003193387.tif 000009
【図８】
0003193387.tif 000010
【図９】
0003193387.tif 000011
【図１０】
0003193387.tif 000012
【図１１】
0003193387.tif 000013
【図１２】
0003193387.tif 000014